(57)【要約】【課題】  天板と脚が一体化しており、ワンタッチ操作で組立てと折り畳みが行える軽量でコンパクトなテーブル付き折り畳みスタンドとする。【解決手段】  成形可能な材料で左右外縦枠１ａ，１ｂと上外横枠１ｃで構成するコ字形の外脚１と、同じく左右内縦枠２ａ，２ｂと上内横枠２ｃの内側上部から下部の任意の位置に筋交い３ａ，３ｂを設けた内脚２を内設し、外脚１と内脚２をX字状の立設状態で左右外内縦枠の下面が平行となるように左右外縦枠中心に内脚をボルト４、爪付きナット５で摺動可能に軸着する。外脚１の上外横枠１ｃの内側に天板６の片方を複数の蝶番７で蝶着し他方は内脚の上面に載置して外脚１と内脚２の上部中央下側を連結用品９で張設し、外枠の外側上方に内脚開き防止板１０を設けたことを特徴とするテーブル付き折り畳みスタンド。【選択図】図１
2009279300.tif 000002
【特許請求の範囲】
【請求項１】
成形可能な材料で左右外縦枠と上外横枠で構成するコ字形の外脚と、同じく左右内縦枠と上内横枠の内側上部から下部の任意の位置に筋交いを設けた内脚を内設し、外脚と内脚をX字状の立設状態で左右外内縦枠の下面が平行となるように左右外縦枠中心に内脚をボルト、爪付きナットで摺動可能に軸着する。外脚の上外横枠の内側に天板の片方を複数の蝶番で蝶着し他方は内脚の上面に載置して外脚と内脚の上部中央下側を連結用品で張設し、外枠の外側上方に内脚開き防止板を設けたことを特徴とするテーブル付き折り畳みスタンド。
【請求項２】
外脚と内脚の上面を同一高さとして天板が水平となるようにし、天板の裏面に内脚の外側に係止する当止具を設けたことを特徴とする請求項１に記載のテーブル付き折り畳みスタンド。
【請求項３】
内脚の軸着部分から上を任意の寸法短くし、天板の表に落下受けを設けて任意の角度に傾斜させたことを特徴とする請求項１に記載のテーブル付き折り畳みスタンド。
【請求項４】
外脚、内脚、筋交い、天板に、木材系の材料を使用したことを特徴とする請求項１に記載のテーブル付き折り畳みスタンド。
【請求項５】
外脚、内脚、筋交い、天板に、木材、合成樹脂、アルミ材等の材料を単独又は組み合わせて使用したことを特徴とする請求項１に記載のテーブル付き折り畳みスタンド。
【請求項６】
左右外縦枠と左右内縦枠の下面を全面接地から半円接地としたことを特徴とする請求項１に記載のテーブル付き折り畳みスタンド。
【請求項７】
左右外縦枠と左右内縦枠の下面にゴム、合成樹脂等の床面保護板を取り付けたことを特徴とする請求項１に記載のテーブル付き折り畳みスタンド。
【請求項８】
左右外縦枠と左右内縦枠の下面にキャスタを設けたことを特徴とする請求項１に記載のテーブル付き折り畳みスタンド。
【発明の詳細な説明】
【技術分野】
【０００１】
角度設定が可能なテーブル付き折り畳みスタンドにおいて構成する天板、外脚、内脚が連動しており、ワンタッチで組み立てと折畳みができると共に、持ち運びが容易に行えるテーブル付き折り畳みスタンドに関するものである。
【背景技術】
【０００２】
従来のテーブル付き折り畳みスタンドは、折り畳みができるＸ字状のスタンドを各種の台として活用するものと傾斜したボード付きのものに大別され各種の製品が市販されている。更に、喫茶店、レストラン等の店頭において料理サンプルの展示するために一対の第１支持脚に開閉する第２支持脚を設けガイドピンでテーブルを回動可能に設けて組み立てと折り畳み作業を容易に短時間で行う製品が提案されているが構造上対荷重は小さく使用場所も限定されている。（例えば特許文献１）
【０００３】
又、テーブル付き折り畳みスタンドに類する折り畳みテーブルは、天板下部の４本の足を単独か２本連動して天板裏面に折り畳む場所をとらない使い勝手のよい家具として多様な所で使用されているが、これらは天板の寸法、脚の形状、取り付け方法により使用状態によっては、対荷重が小さい、重量が重い、横揺れが大きい等固定式には無い問題点が生じる物もある。
【０００４】
従って、先に本提案者は上記の折り畳みテーブルの問題点に対処するために、四角形材で内接する四角形の外脚と内脚を回動可能に軸着し、上下が平行となるＸ字立設状態の上面に天板を二分割し、片方を外脚上面に固着し他方の裏面に外枠上面内側に天板面が面一となるように蝶着と内脚の外側で係止する係止具を設けて組立てた状態とし、折り畳みは内枠を外枠と一体となるように天板下面を移動させることにより、天板も連動して外枠と内枠上面に重なる組み立てと折り畳みが容易に行える折り畳みテーブルを提案しているがテーブルの構成と安定性において再検討する必要が生じた。（例えば特許文献２）
【０００５】
更に、テーブルを手前に傾斜させて使用するイーゼル、書見台、パソコン台等は一般に共通性は無く個々にマッチした寸法の製品が要求されているが、これらに対応可能な形式は見当たらない。
【特許文献１】特開２０００−３４２４０７
【特許文献２】特願２００７−０５３８５０
【発明の開示】
【発明が解決しようとする課題】
【０００６】
上記の問題点を解決しようとする課題は,テーブルの角度の設定と組み立て折り畳みが簡単な操作で容易行えるテーブル付き折り畳みスタンドを少ない構成部材で提供することである。
【課題を解決するための手段】
【０００７】
上記課題を解決する為に、本発明の請求項１に記載のテーブル付き折り畳みスタンドは、成形可能な材料で左右外縦枠と上外横枠で構成するコ字形の外脚と、同じく左右内縦枠と上内横枠の内側上部から下部の任意の位置に筋交いを設けた内脚を内設し、外脚と内脚をX字状の立設状態で左右外内縦枠の下面が平行となるように左右外縦枠中心に内脚をボルト、爪付きナットで摺動可能に軸着する。外脚の上外横枠の内側に天板の片方を複数の蝶番で蝶着し他方は内脚の上面に載置して外脚と内脚の上部中央下側を連結用品で張設し、外枠の外側上方に内脚開き防止板を設ける。
【０００８】
本発明の請求項２のテーブル付き折り畳みスタンドは、請求項１に記載のテーブル付き折り畳みテーブルにあって、外脚と内脚の上面を同一高さとして天板が水平となるようにし、天板の裏面に内脚の外側に係止する当止具を設ける。
【０００９】
本発明の請求項３のテーブル付き折り畳みスタンドは、請求項１に記載のテーブル付き折り畳みテーブルにあって、内脚の軸着部分から上を任意の寸法短くし、天板の表に落下受けを設けて任意の角度に傾斜させる。
【００１０】
本発明の請求項４のテーブル付き折り畳みスタンドは、請求項１に記載のテーブル付き折り畳みテーブルにあって、外脚、内脚、筋交い、天板に、木材系の材料を使用する。
【００１１】
本発明の請求項５のテーブル付き折り畳みスタンドは、請求項１に記載のテーブル付き折り畳みテーブルにあって  外脚、内脚、筋交い、天板に、木材、合成樹脂、アルミ材等の材料を単独又は組み合わせて使用する。
【００１２】
本発明の請求項６のテーブル付き折り畳みスタンドは、請求項１に記載の折り畳みテーブルにあって、左右外縦枠と左右内縦枠の下面を前面接地から半円接地とする。
【００１３】
本発明の請求項７のテーブル付き折り畳みスタンドは、請求項１に記載の折り畳みテーブルにあって、外脚と内脚の下面にゴム、合成樹脂等の床面保護板を取り付ける。
【００１４】
本発明の請求項８のテーブル付き折り畳みスタンドは、請求項１に記載の折り畳みテーブルにあって、外脚と内脚の下面にキャスタを設ける。
【発明の効果】
【００１５】
本発明テーブル付きの折り畳みスタンドは、外脚と内側に筋交いを設けた内脚を両縦枠の中心内側接触面で回動可能に軸着することにより一体となるので安定して立設する。特に内脚に設けた筋交は、通常横揺れ防止で設ける下横枠に替わる物であり効果も大でデザイン的にも優れている。上面の天板は、物を置くテーブルとして使用する場合には裏面の片方を外脚の上横枠内側側面に蝶着し、他方は内枠の上横枠外側側面に係止する当止具を設けることにより対荷重が大きくなり内脚上面が天板下面をスライドするだけで確実に安定した状態で組み立てが行える。又、立設状態で外脚と内脚上部の中央部内側をチェーン、ロープ等の連結用品で張設することで天板の当止具が外れても外脚と内脚はそれ以上開かず、外脚外側上方の内脚開き防止板は折り畳み時に内脚が外側に開くのを防止する。従って、天板、外脚、内脚が連動するので組み立てと折り畳み作業が簡単に行なえる。
【００１６】
更に、内設している内脚の軸着部分より上方の寸法を短くすることにより接地面に平行なテーブルからテーブルを傾斜させて描画用のイーゼル、書見台、パソコン台等としても使用できる。傾斜角度は一定範囲内で連結用品の寸法張設で任意に設定できる。この場合には、天板が傾斜しているので荷重はかからず当止具は不要となるが天板表面下端には落下物受けを設けることにより用途が広がる。又、外脚外側の内脚開き防止板は折り畳み時に内脚が外側に開くのを防止する。
【００１７】
主要部品に環境に優しい木材を使用すれば、加工が容易なので多様な寸法の製品に対応できる。特に、間伐材、倒木材を使用すれば自然環境保護と資源の有効活用になる。又、塗装もラッカー、ニス等の他に、人と環境に優しい天然木材保護塗料プラネットカラー（クライデシアイト−ドイツ製）を使用すればより効果的である。
【００１８】
用途、機能、デザイン等によっては主用部品に、木材、合成樹脂、アルミ材等の単独使用、又は木材、合成樹脂、アルミ材等の組み合わせで使用すれば多様な製品が可能である。
【００１９】
接地面は内脚と外脚の４点支持の為外脚と内脚の下面を半円形にすると面接触から点接触となり各角度に同一対応ができると共に設置面に傷もつきにくい。又、床面の保護が必要な場合には下面にゴム又は合成樹製の保護板を取り付け、移動が必要な場合にはキャスタを取り付ければ便利である。                        
【００２０】
上記より、天板を支持する内脚の筋交いと軸着の相乗効果で前後、左右に揺れが少なくテーブルとして使用する場合には天板も確実に保持されるので対荷重は大きく、重量は軽い製品の製作が可能となる。更に、テーブルの角度設定も可能なので、ワンタッチ感覚で組立てと折り畳みができ、持ち運びが容易で使用時の遥動も少ないので、室内、室外、各種イベント、アウトドアー用等多様な場所での使用に対応できるテーブル付き折り畳みスタンドを安価にて提供することができる。
【発明を実施するための最良の形態】
【００２１】
左右縦枠と上横枠で構成するコ字形の外脚と同じく内側に筋交いを設けた内脚を内設させて一体と回動可能に軸着する。外脚と内脚がＸ字状の立設状態で、下面は接地面に平行、上面は外脚上面内側を基準として、内脚の内側を外脚内側の同一高さより用途に応じて下方に調整する。天板裏面の片方を外脚上面内側に蝶着すると共に、天板を設置面に平行としたテーブルとする場合には内脚上面内側を外脚上面内側と同一高さにしてテーブルの他方に内脚外側に当接して係止する当止具を設けて組立てる。更に、外脚と内脚が一定以上開かないようにロープ、チェーン等の連結用品で外脚上部下側中央と内脚上部下側中央を張設すると共に、外脚外側両端に内脚が折り畳み時に外側に開かない内脚開き防止板を設ける。又、天板を傾斜させる場合には内脚の軸着部分より上を任意の寸法短くすることにより可能な角度に設定することができる。従って、組み立て時の接地部は、両縦枠下面の４点接地支持となるので安定した状態で立設するが必要に応じて接地面を半円形としたり使用状態によっては両縦枠下面に床面保護板、キャスタを設ける。
【実施例】
【００２２】
以下、本発明の実施例を図面に基づいて説明する。図１は、本発明に係わるテーブル付き折り畳みスタンドの裏面斜視図で主要部材に木材を使用したものである。左外縦枠１ａ、右外縦枠１ｂ、上外横枠１ｃで構成する外脚１と左内縦枠２ａ、右内縦枠２ｂ、上内横枠２ｃ、筋交い３ａ、３ｂで構成する内脚２を外脚１と内脚２が一体と回動可能に左外縦枠１ａと左内縦枠２ａ、右外縦枠１ｂと右内縦枠２ｂの中央を摺動可能に丸小ネジ４と爪付きナット５で軸着する。外脚１、内脚２、天板６でテーブルを組立てたＸ字立設状態において、外脚１と内脚２の左右外内縦枠１ａ，１ｂ，２ａ，２ｂの下面は接地面に平行とし、天板６は、片方を上外横枠１ｃの内側側面に両端を蝶番７で蝶着し他方は内枠２の上面に載置する。又、立設時にこれ以上外脚１と内脚２が開かないように上外横枠１ｃと上内横枠２ｃの中央下側をロープ又はチェーンの連結用品１０で張設する。更に、折り畳み時において内脚２が外側に開くのを防止する為に外脚１の外側上の両コーナーに内脚開き防止板１０を設ける。尚、天板６を上外横枠１ｃに蝶着する蝶番７は天板６の寸法に応じて増減する。又、内脚２の内側上面両角から対辺の左右縦枠２ａ．２ｂに設けた筋交い３ａ，３ｂは立設時の横揺れを防止するが、寸法は軸着部付近の任意の位置で横揺れ防止効果は十分にある。形状も角以外であってもよく全体のデザイン性を考慮して設定する。尚、木材を使用する場合の組み立ては木用ネジ、連結用品と内脚開き防止板１０の取り付けは木用小ネジで行うが代用できれば他の部品であってもよい。
【００２３】
上記の実施例における外脚１と内脚２の摺動可能な軸着では外観上丸小ネジ４の頭を外脚の中に入れ、ナットは爪付きナット５を使用しているが外脚１と内脚２が確実に軸着されるのであれば各種のボルト、ナット、他にピン、リベット等の部品であってもよい。又、外脚１の上部コーナーに設けた内脚開き防止板１０は外脚コ字形の補強材としての効果もある。
【００２４】
図２は、テーブル付き折り畳みスタンドをテーブルとして使用する時の折り畳んだ状態の裏平面図、図３は表平面図、図４は図３のＢ−Ｂ断面図である。折り畳んだ状態では左右外縦枠１ａ，１ｂと左右内縦枠２ａ，２ｂ、上外横枠１ｃ、上内横枠２ｃは平行となり一体化する。又、天板６は蝶番７を介して外脚１と内脚２に連動して折り畳まれる。
【００２５】
図５はテーブル付き折り畳みスタンドをテーブルとして使用する時の組立て途中の正面図である。折り畳んだ状態より組み立てる時には天板６は内脚２上面の移動に従って蝶番７を介して上に持ち上げられる。この場合、外脚１の上面は内側から外側に９０度の角度があり天板６の持ち上げられた最高点からの傾斜に対応できる。
【００２６】
図６はテーブル付き折り畳みスタンドをテーブルとして組立てた正面図である。この際に天板６に設けた当止具８は外脚１、内脚２、テーブル６の立設状態を強固に保つのに作用する。従って、この状態での連結用品９はテーブル６を持ち上げた時の外脚１と内脚２の開脚防止用となる。
【００２７】
図７はテーブルが傾斜するテーブル付き折り畳みスタンドの折り畳んだ状態の裏面平面図、図８はテーブルを傾斜させた二通りの正面図である。イーゼル、写生用の画板台、書見台、パソコン台等の傾斜を必要とする場合に対応するものでありテーブル６表面の下部に落下物受け１１を設け、内脚２の軸着部分より上を任意の寸法短くすると共に連結用品９の寸法を調節することによりＸ字状の立設可能範囲内でテーブル６の角度が設定できる。従って、テーブル６の角度により外脚１と内脚２の接地面も連動するので形状を直線の全面から半円形の点接地にして各角度に対応させる。又、立設時により安定した状態を保つ為に軸着部分から下の外脚１と内脚２の寸法を同一としている。尚,この形式の寸法設定は要求される高さ、テーブルの縦横、角度、安定度等についてそれぞれを設定することにより各種要求に対応することができる。
【００２８】
図９は折り畳みテーブルの外脚１と内脚２の下面に保護板１２を取り付けた正面図、図１０は同じくキャスタ１３を取り付けた正面図である。折り畳みテーブルを使用時に移動が少なくても床面に傷が付く恐れのある場合には保護板１２を、移動を要する場合にはキャスタ１３を取り付けて対応する。尚、キャスタ１３には自在タイプ、固定タイプ、ストッパー付タイプ、ボールタイプ等あるが必要に応じてそれぞれを選定する。
【産業上の利用可能性】
【００２９】
天板と外脚、内脚が一体となっており、それぞれが軸、蝶番により連動して組み立てと折り畳み作業ができると共に、軽量で簡単な構造なので幅、奥行き、高さ、角度、強度、重量も使用目的により自由に設定可能である。又、部品点数が少ないので、使用材料によっては安価にて提供することが出来る。従って、台所、居間、寝室、ベランダ、庭、事務所、工場等の主に準固定での使用の他に各種イベント、学習塾、集会、キャンプ、釣り、農作業、写生等の移動と片付けを要する場所にも容易に対応できるので、多様な分野での利用が可能となる。
【図面の簡単な説明】
【００３０】
【図１】テーブル付き折り畳みスタンドの裏面斜視図である。
【図２】テーブル付き折り畳みスタンドの折り畳んだ平面図である。
【図３】テーブル付き折り畳みスタンドの折り畳んだ裏面平面図である。
【図４】テーブル付き折り畳みスタンド図３のＢ−Ｂ断面図である。
【図５】テーブル付き折り畳みスタンドの組み立て途中の正面図である。
【図６】テーブル付き折り畳みスタンドの組立てた正面図である。
【図７】テーブル付き折り畳みスタンドの折り畳んだ平面図である。
【図８】テーブル付き折り畳みスタンドの組立てた正面図である。
【図９】テーブル付き折り畳みスタンド保護板を取り付けた正面図である。
【図１０】テーブル付き折り畳みスタンドのキャスタを取り付けた正面図である。
【符号の説明】
【００３１】
１    外脚                  ４  丸小ネジ
１ａ  左外縦枠              ５  爪付きナット
１ｂ  右外縦枠              ７  蝶番
１ｃ  上外横枠              ８  当止具
２    内脚                  ９  連結用品
２ａ  左内縦枠            １０  内脚開き防止板
２ｂ  右内縦枠            １１  落下物受け
２ｃ  上内横枠            １２  保護板
３ａ  筋交い              １３  キャスタ
３ｂ  筋交い
【図１】
2009279300.tif 000003
【図２】
2009279300.tif 000004
【図３】
2009279300.tif 000005
【図４】
2009279300.tif 000006
【図５】
2009279300.tif 000007
【図６】
2009279300.tif 000008
【図７】
2009279300.tif 000009
【図８】
2009279300.tif 000010
【図９】
2009279300.tif 000011
【図１０】
2009279300.tif 000012